(57)【要約】【課題】優れた携帯性、装着性、及びデザイン性を備えると共に、花粉等の塵埃の侵入を効果的に阻止する。【解決手段】眼鏡レンズの上縁部に添って設けられ、空気噴出孔を備えたパイプ状リム部と、前記リム部に空気を送り込む送風手段とを有する防塵眼鏡において、前記空気噴出孔が、前記上縁部において、上方に噴出する上方空気噴出孔と下方に噴出する下方空気噴出孔とを有する。【選択図】  図１
2010243704.tif 000002
【特許請求の範囲】
【請求項１】
眼鏡レンズ（１）、（１）の上縁部（１１）、（１１）に添って設けられ、空気噴出孔（２１）を備えたパイプ状リム部（２）と、前記リム部（２）に空気を送り込む送風手段（３）とを有する防塵眼鏡において、前記空気噴出孔（２１）が、前記上縁部（１１）、（１１）において、上方に噴出する上方空気噴出孔（２１１）と下方に噴出する下方空気噴出孔（２１２）とを有することを特徴とする防塵眼鏡。
【請求項２】
前記上方空気噴出孔（２１１）の噴出角度は、前記眼鏡レンズ（１）、（１）に対し１５〜４５°の範囲であり、前記下方空気噴出孔（２１２）の噴出角度は、前記眼鏡レンズ（１）、（１）に対し３０〜４５°の範囲であることを特徴とする請求項１記載の防塵眼鏡。
【請求項３】
前記空気噴出孔（２１）を備えた前記リム部（２）と、前記眼鏡レンズ（１）、（１）とが一体成形されていることを特徴とする請求項１または２記載の防塵眼鏡。
【請求項４】
前記空気噴出孔（２１）を備えた前記リム部（２）が、前記眼鏡レンズ（１）、（１）に着脱自在になっていることを特徴とする請求項１または２記載の防塵眼鏡。
【請求項５】
前記送風手段（３）が眼鏡のテンプル（４）内を通って、前記リム部（２）に連通していることを特徴とする請求項３記載の防塵眼鏡。
【請求項６】
前記送風手段（３）が、前記テンプル（４）の端部において着脱自在になっていることを特徴とする請求項５記載の防塵眼鏡。
【請求項７】
前記送風手段（３）が、電池で駆動できる電動モータ及びファンからなるブロワ（３１）と、ブロワ（３１）により発生した圧縮空気を、前記リム部（２）に供給する為の供給管（３２）と、前記圧縮空気の塵埃を除去する為の塵埃除去手段とを備えていることを特徴とする請求項１〜６いずれか一項に記載の防塵眼鏡。
【発明の詳細な説明】
【技術分野】
【０００１】
本発明は、防塵眼鏡に係り、更に詳しくは、本発明は、人の目に花粉や粉塵が付着するのを防止して花粉症の予防をするための防塵眼鏡に関する。
【背景技術】
【０００２】
このような花粉が人の目に付着するのを防止して花粉症の発症を抑えようとする器
具としては、ゴーグル状眼鏡が一般的に用いられている。
具体的には、図８に示す様なゴーグル状眼鏡が提案されている。（特許文献１）
このゴーグル状眼鏡は、これを装着すれば、眼鏡のレンズ部分１００、１００とその周囲の眼鏡リム部２００に配した保護カバー５００，５００によって、目の前に花粉等が進入することを阻止し、その結果、目にこれらの花粉等が付着することを一定の範囲で、防止する効果が期待出来る。
しかし、花粉症の予防には不十分であった。
【０００３】
そこで、図９に示すように、基本的に、眼鏡レンズ１００、１００のリム部２００、２００（フレーム）に設けた空気噴出孔２１０と、該空気噴出孔２１０に連通する２本のビニールチューブ（送風手段）３００、３００と、該ビニールチューブ３００、３００を通じて空気噴出孔２１０に空気を送り込む 送風手段とで構成したものが提案された。（特許文献２）
【０００４】
しかし、この種の防塵眼鏡は、ゴーグル状眼鏡に比べ、花粉等が付着することをより効果的に阻止できるが、花粉症の予防には、未だ不十分であった。
これは、着眼点が、空気噴出孔２１０により、平面的なエアカーテンを形成することにより、花粉等の塵埃の侵入を防ぐ点にあった為と思われる。
【先行技術文献】
【特許文献】
【０００５】
【特許文献１】特開２００４−３４１１２４号公報
【特許文献２】実用新案登録第３１１０４９６ 号公報
【発明の概要】
【発明が解決しようとする課題】
【０００６】
このような防塵眼鏡は、優れた携帯性、装着性、及びデザイン性を備えると共に、花粉等の塵埃の侵入を効果的に阻止することを目的としている。
【課題を解決するための手段】
【０００７】
本発明の防塵眼鏡は、眼鏡レンズの上縁部に添って設けられ、空気噴出孔を備えたパイプ状リム部と、前記リム部に空気を送り込む送風手段とを有する防塵眼鏡において、前記空気噴出孔が、前記上縁部において、上方に噴出する上方空気噴出孔と下方に噴出する下方空気噴出孔とを有することを特徴とする。
【発明の効果】
【０００８】
本発明は、以下に記載されるような効果を奏する。
請求項１記載の発明の防塵眼鏡によれば、優れた携帯性、装着性、及びデザイン性を備えると共に、花粉等の塵埃の侵入を効果的に阻止することが出来る。
また、請求項２記載の発明の防塵眼鏡によれば、デザイン性を損なうことなく、花粉等の塵埃の侵入を、より確実に阻止することが出来る。
【０００９】
更に、請求項３記載の発明の防塵眼鏡によれば、デザイン性を損なわずに、装着性能を高めることが出来る。
【００１０】
更にまた、請求項４記載の発明の防塵眼鏡によれば、使用中の眼鏡を活用して、花粉等の塵埃の侵入を効果的に阻止することが出来る。
更に、請求項５記載の発明の防塵眼鏡によれば、デザイン性を損なわずに、花粉等の塵埃の侵入を効果的に阻止することが出来る。
【００１１】
更にまた、請求項６記載の発明の防塵眼鏡によれば、優れた利便性を発揮することが出来る。
また、請求項７記載の発明の防塵眼鏡によれば、優れた携帯性を発揮することが出来る。
【図面の簡単な説明】
【００１２】
【図１】本発明に係る防塵眼鏡の斜視図である。
【図２】図１の防塵眼鏡の上方及び下方空気噴出孔から空気が噴出している様を、正面から見た説明図である。
【図３】第2の実施形態に係る防塵眼鏡を組立て前の正面図である。
【図４】図３の防塵眼鏡を組立て後、上方及び下方空気噴出孔から空気が噴出している様を、正面から見た説明図である。
【図５】図１の防塵眼鏡を側面から見た説明図である。
【図６】図４に示した防塵眼鏡を人が使用している第１の状態を示す説明図である。
【図７】図４に示した防塵眼鏡を人が使用している第２の状態を示す説明図である。
【図８】従来技術に係る防塵眼鏡の斜視図である。
【図９】従来技術に係る他の防塵眼鏡の正面図である。
【発明を実施するための形態】
【００１３】
以下、本発明を実施するための最良の形態について説明する。
図１乃至図７に基づき発明を実施するための形態について説明する。
【００１４】
図１は、本発明に係る防塵眼鏡の第１の実施の態様を示す斜視図である。
本発明に係る防塵眼鏡は、眼鏡レンズ１、１の上縁部１１、１１に添って設けられ、空気噴出孔２１を備えたパイプ状リム部２と、このリム部２に空気を送り込む送風手段３とを備えている。
そして、この空気噴出孔２１は、上縁部１１、１１において、上方に噴出する上方空気噴出孔２１１と、下方に噴出する下方空気噴出孔２１２とを有している。
【００１５】
この防塵眼鏡は、図２に示す様に、図示しない送風手段から送られた空気を、上方空気噴出孔２１１及び下方空気噴出孔２１２から、一定の傾斜角度を保って、眼鏡の上方及び下方に空気が噴出している。
この２方向の噴出空気により、花粉等の塵埃の侵入を効果的に阻止することが出来るものである。
【００１６】
そして、図５に示す様に、この上方空気噴出孔２１１の噴出角度は、眼鏡レンズ１、１に対し１５〜４５°の範囲に設定され、下方空気噴出孔２１２の噴出角度は、眼鏡レンズ１、１に対し３０〜４５°の範囲に設定される。
この様な角度範囲にすることにより、花粉等の塵埃の侵入を、より効果的に阻止することが出来る。
空気噴出孔の位置や大きさは、１ｍｍの孔を3〜5ｍｍのピッチで、一列または複数列設けることにより、より効率のよい送風が可能となる。
空気噴出孔の配列は、直線でよいが、千鳥配列としても良い。
また、空気噴出孔を顔面側に設けることにより、レンズ１、１の内側の曇り防止効果を期待することも可能である。
【００１７】
また、本実施の態様においては、眼鏡レンズ１、１のリム部２を中空に形成し、このリム部２に空気噴出孔２１を設ける態様とした。
更に、空気噴出孔２１に空気を送り込む送風手段３として、眼鏡のテンプル４内も中空として、リム部２内とテンプル４内とを連通する構成とすることにより、空気供給管３２の端部とテンプル４の端部とを連結することにより、送風可能としている。
このテンプル４の端部にワンタッチ継ぎ手を設けることにより、空気供給管３２との着脱が容易となるため、防塵眼鏡の装着性を高めることが出来る。
【００１８】
ついで、本発明に係る防塵眼鏡の第２の実施の態様を説明する。
図３は、第2の実施形態に係る防塵眼鏡を組立て前の正面図であり、図４は、図３の防塵眼鏡を組立て後、上方及び下方空気噴出孔から空気が噴出している様を、正面から見た説明図である。
第１の実施形態に係る防塵眼鏡と相違する点は、空気噴出孔２１を備えたリム部２が、眼鏡レンズ１、１に着脱自在になっている点である。
このことにより、使用中の眼鏡を活用して、花粉等の塵埃の侵入を効果的に阻止することが出来る。
すなわち、空気噴出孔２１を備えたリム部２を、両端に設けた止め金具２２、２２を利用して、図４に示す様に、眼鏡と一体化するものである。
尚、上方空気噴出孔２１１及び下方空気噴出孔２１２の噴出角度は、第１の実施形態と同様に設定される。
【００１９】
そして、この防塵眼鏡は、図６及び図７に示す状態で使用される。
すなわち、図６は、送風手段３の一部であるブロワ３１をショルダーポーチに収容し、このブロワ３１から発生した圧縮空気を、供給管３２を介して、リム部１１に供給する構成となっている。
また、図７は、送風手段３の一部であるブロワ３１をウエストポーチに収容する態様としたものである。
【００２０】
そして、この送風手段３は、電池で駆動できる電動モータ及びファンからなるブロワ３１と、ブロワ３１により発生した圧縮空気を、リム部２に供給する為の供給管３２と、圧縮空気内の塵埃を除去する為の塵埃除去手段とを備えている。
【００２１】
より詳しくは、このブロワ３１は、一部にフィルター付き通気口を形成した樹脂製ハウジング内に送風機を納めて、蓋をして密封する。
このハウジングには、送風出口とスイッチ配置用及び電源低給用ジャック配置用の貫通穴が設けてある。
そして、送風機送風口を送風出口に嵌めこむように配置し、送風機とスイッチおよび電源供給用ジャックを配線する。
それぞれの貫通穴周囲はシーラントなどにより封止する。
この密封方法は特に限定されないが、ハウジング内からの取り外しを容易にするため、蓋とハウジングトの間にゴムパッキンを挟んでボルト締めにより密封する方法が採用される。
【００２２】
また、ハウジングは、ファンによる騒音を抑止するために、共振の小さい樹脂材料を用いることが望ましい。
更に、送風機（ファン）は、携帯可能なほど小型かつ軽量で十分な送風能力を有するものであれば何でもよく、フィルターを通じて外気からブロワ３１内に空気を取り込める機能を持つ、軸流ファン、シロッコファン、ターボファン等が挙げられる。
本実施態様では、１２Ｖ仕様のターボファン（日本電産コパル電子株式会社製）（９２．５×７２．１×５４ｍｍ）を使用した。
【００２３】
送風機の電源には、携帯性を考慮して電池を用いることが好ましい。
電池の種類は特に限定されないが、携帯性と送風機の性能から、エネルギー密度の高いＬｉ−ｉｏｎバッテリーが好ましい。
本実施態様では、ＰｏｗｅｒＢａｔｔｅｒｙ１２（エナックス株式会社製）を使用した。
【００２４】
ブロワ３１からリム部２までは、フレキシブルなチューブからなる供給管３２を配管する。
この供給管３２は途中で二又に分岐させ、テンプル４、４の端部側に設けた左右２つの供給管３２の接続口３２１，３２１ヘ配管する。
これは、左右どちらか一方向からの送風では吹出し口からの送風の際に吹出し口の位置によって風量の分布の偏りが生じやすい。
これに対し、左右２方向から同量の送風をすることで風量分布の偏りを抑制することができる。
この供給管３２の大きさや、材質は、特に限定されることはないが、デザイン及び使い易さから、内径４ｍｍ、外径６ｍｍのポリウレタンチューブを使用した。
【００２５】
また、本発明に係るリム部２全体の形状は、３次元光造形により作製した。
これは、リム部２を中空状に形成するためであるが、これに限定されるものではない。また、本発明に係る防塵眼鏡の外観形状は、人の顔の形に合わせて隙限を極力少なくするように設計することで、花粉の侵入を抑制することが可能となる。
【００２６】
更に、図１に示すサングラスタイプの形状とすることで、美観を起こし、装着に対する抵抗感を低減出来る。
また、リム部２の中空部の形状は、圧力損失による送風量の低減が大きくなく、かつ外観を損なわない範囲で、可能な限り広い断面積とすることが望ましい。
本実施態様では、直径６ｍｍの中空とした。
【００２７】
本発明品の花粉防護性能を評価する為に、以下の試験を行った。
８畳程度の部屋において、マネキンと粉塵飛散装置及び粉塵計測器を準備し、マネキンの目には、目から頭部にかけて貫通孔を設け、後頭部側に粉塵計測器を設置し、空間中に模擬花粉を飛散させたときに目に浸入する模擬花粉量を測定した。
【００２８】
防塵眼鏡を全く使用しない時の花粉の目への侵入量を１００％として比較測定を行った。
市販品の保護眼鏡の花粉侵入量は約３５％であった。
また、図８に示す様な、市販品のひさしガード付きの防塵眼鏡の花粉侵入量は約１６％であった。
また、図９に示す様な、１列の空気噴出孔より空気を噴出する態様のものは、花粉侵入量は約１０％であった。
この様な従来技術の花粉排除効果に対し、本発明品の花粉侵入量は約４％であった。
この様に、明らかに、本発明品は、従来品に比べ、花粉侵入量を低く抑えることが出来る。
【００２９】
また、本発明は上述の発明を実施するための最良の形態に限らず本発明の要旨を逸脱することなくその他種々の構成を採り得ることはもちろんである。
【符号の説明】
【００３０】
１    眼鏡レンズ
２    リム部
３    送風手段
４    テンプル
１１  上縁部
２１  空気噴出孔
２２  止め金具
２１１上方空気噴出孔
２１２下方空気噴出孔
【図１】
2010243704.tif 000003
【図２】
2010243704.tif 000004
【図３】
2010243704.tif 000005
【図４】
2010243704.tif 000006
【図５】
2010243704.tif 000007
【図６】
2010243704.tif 000008
【図７】
2010243704.tif 000009
【図８】
2010243704.tif 000010
【図９】
2010243704.tif 000011